【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
ユーザの生体情報を記憶する記憶手段を有する印刷装置と、当該印刷装置と通信可能な情報処理装置とを含む印刷システムであって、
前記情報処理装置は、
前記印刷装置によって実行される印刷ジョブと、当該印刷ジョブを実行するために前記記憶手段に記憶された生体情報を用いた認証が必要であることを示す情報とを、前記印刷装置に送信する送信手段を備え、
前記印刷装置は、
前記情報処理装置から前記印刷ジョブと前記情報とを受信する受信手段と、
ユーザの生体情報を入力する入力手段と、
前記受信手段によって前記印刷ジョブと前記情報とを受信した場合に、前記入力手段によって入力された生体情報と、前記記憶手段に記憶された生体情報とに基づいてユーザを認証し、当該認証に成功した場合に前記受信手段によって受信した印刷ジョブを実行する制御手段とを備える、
ことを特徴とする印刷システム。
【請求項２】
情報処理装置から受信した印刷ジョブを実行する印刷装置であって、
ユーザの生体情報を記憶する記憶手段と、
前記情報処理装置から、前記印刷ジョブと、当該印刷ジョブを実行するために前記記憶手段に記憶された生体情報を用いた認証が必要であることを示す情報とを受信する受信手段と、
ユーザの生体情報を入力する入力手段と、
前記受信手段によって前記印刷ジョブと前記情報とを受信した場合に、前記入力手段によって入力された生体情報と、前記記憶手段に記憶された生体情報とに基づいてユーザを認証し、当該認証に成功した場合に前記受信手段によって受信した印刷ジョブを実行する制御手段と、
を備えることを特徴とする印刷装置。
【請求項３】
前記制御手段は、複数種類の生体情報によって前記ユーザを認証可能であり、
前記受信手段は、前記印刷ジョブを実行するために前記記憶手段に記憶された前記複数種類の生体情報のうち、いずれの生体情報を用いた認証が必要であるかを示す識別情報を受信し、
前記制御手段は、前記記憶手段に記憶された複数種類の生体情報のうち、前記識別情報によって示される生体情報に基づいてユーザを認証し、当該認証に成功した場合に前記受信手段によって受信した印刷ジョブを実行する、
ことを特徴とする請求項２に記載の印刷装置。
【請求項４】
前記受信手段は、前記印刷ジョブと前記情報に加えて、ユーザを識別するためのユーザ識別情報を受信し、
前記制御手段は、前記ユーザ識別情報に基づいて、表示手段に当該ユーザ識別情報によって識別されるユーザの印刷ジョブを表示し、当該表示された印刷ジョブの中から、選択された印刷ジョブを実行するために必要な生体情報の入力を要求する、
ことを特徴とする請求項２又は３に記載の印刷装置。
【請求項５】
前記生体情報は、ユーザの顔情報、指紋情報、静脈情報、虹彩情報、声紋情報、掌形情報または網膜情報であることを特徴とする請求項２乃至４のいずれか１項に記載の印刷装置。
【請求項６】
ユーザの生体情報を記憶する記憶手段を有する印刷装置と通信可能な情報処理装置であって、
前記印刷装置によって実行される印刷ジョブと、当該印刷ジョブを実行するために前記記憶手段に記憶された生体情報を用いた認証が必要であることを示す情報を、前記印刷装置に送信する送信手段、を備えることを特徴とする情報処理装置。
【請求項７】
ユーザの生体情報を記憶する記憶手段を有する印刷装置と、当該印刷装置と通信可能な情報処理装置とを含む印刷システムの制御方法であって、
前記情報処理装置において、
前記印刷装置によって実行される印刷ジョブと、当該印刷ジョブを実行するために前記記憶手段に記憶された生体情報を用いた認証が必要であることを示す情報を、前記印刷装置に送信する送信工程と、
前記印刷装置において、
前記情報処理装置から前記印刷ジョブと前記情報とを受信する受信工程と、
前記印刷ジョブと前記情報とを受信した場合に、ユーザによって入力された生体情報と、前記記憶手段に記憶された生体情報とに基づいてユーザを認証し、当該認証に成功した場合に前記印刷ジョブを実行する制御工程と、
を有することを特徴とする印刷システムの制御方法。
【請求項８】
情報処理装置から受信した印刷ジョブを実行する印刷装置の制御方法であって、
前記情報処理装置の記憶手段が、ユーザの生体情報を記憶する記憶工程と、
前記情報処理装置の受信手段が、前記情報処理装置から、前記印刷ジョブと、当該印刷ジョブを実行するために前記記憶工程で記憶された生体情報を用いた認証が必要であることを示す情報とを受信する受信工程と、
前記情報処理装置の入力手段が、ユーザの生体情報を入力する入力工程と、
前記情報処理装置の制御手段が、前記受信工程で前記印刷ジョブと前記情報とを受信した場合に、前記入力工程で入力された生体情報と、前記記憶工程で記憶された生体情報とに基づいてユーザを認証し、当該認証に成功した場合に前記受信工程で受信した印刷ジョブを実行する制御工程と、
を有することを特徴とする印刷装置の制御方法。
【請求項９】
ユーザの生体情報を記憶する記憶手段を有する印刷装置と通信可能な情報処理装置の制御方法であって、
前記情報処理装置の送信手段が、前記印刷装置によって実行される印刷ジョブと、当該印刷ジョブを実行するために前記記憶手段に記憶された生体情報を用いた認証が必要であることを示す情報とを、前記印刷装置に送信する送信工程、を有することを特徴とする情報処理装置の制御方法。
【請求項１０】
請求項７乃至９のいずれか１項に記載の制御方法の各工程をコンピュータに実行させるためのプログラム。
【請求項１１】
ユーザの指紋情報を記憶する記憶手段を有する印刷装置と、当該印刷装置と通信可能な情報処理装置とを含む印刷システムであって、
前記情報処理装置は、
前記印刷装置によって実行される印刷ジョブと、当該印刷ジョブを送信するユーザを識別する識別情報とを、前記印刷装置に送信する送信手段を備え、
前記印刷装置は、
前記情報処理装置から前記印刷ジョブと前記識別情報とを受信する受信手段と、
ユーザの指紋情報を入力する入力手段と、
前記受信手段によって前記印刷ジョブと前記識別情報とを受信した場合に、前記入力手段によって入力された指紋情報と、前記記憶手段に記憶された指紋情報のうち前記識別情報によって識別されたユーザの指紋情報とに基づいてユーザを認証し、当該認証に成功した場合に前記受信手段によって受信した印刷ジョブを実行する制御手段と、を備える、
ことを特徴とする印刷システム。
【請求項１２】
ユーザの指紋情報を記憶する記憶手段と、
情報処理装置から、印刷ジョブと、ユーザを識別する識別情報とを受信する受信手段と、
ユーザの指紋情報を入力する入力手段と、
前記受信手段によって前記印刷ジョブと前記識別情報とを受信した場合に、前記入力手段によって入力された指紋情報と、前記記憶手段に記憶された指紋情報のうち前記識別情報によって識別されたユーザの指紋情報とに基づいてユーザを認証し、当該認証に成功した場合に前記受信手段によって受信した印刷ジョブを実行する制御手段と、
を備えることを特徴とする印刷装置。
【請求項１３】
ユーザの静脈情報を記憶する記憶手段を有する印刷装置と、当該印刷装置と通信可能な情報処理装置とを含む印刷システムであって、
前記情報処理装置は、
前記印刷装置によって実行される印刷ジョブと、当該印刷ジョブを送信するユーザを識別する識別情報とを、前記印刷装置に送信する送信手段を備え、
前記印刷装置は、
前記情報処理装置から前記印刷ジョブと前記識別情報とを受信する受信手段と、
ユーザの静脈情報を入力する入力手段と、
前記受信手段によって前記印刷ジョブと前記識別情報とを受信した場合に、前記入力手段によって入力された静脈情報と、前記記憶手段に記憶された静脈情報のうち前記識別情報によって識別されたユーザの静脈情報とに基づいてユーザを認証し、当該認証に成功した場合に前記受信手段によって受信した印刷ジョブを実行する制御手段と、を備える、
ことを特徴とする印刷システム。
【請求項１４】
ユーザの静脈情報を記憶する記憶手段と、
情報処理装置から、印刷ジョブと、ユーザを識別する識別情報とを受信する受信手段と、
ユーザの静脈情報を入力する入力手段と、
前記受信手段によって前記印刷ジョブと前記識別情報とを受信した場合に、前記入力手段によって入力された静脈情報と、前記記憶手段に記憶された静脈情報のうち前記識別情報によって識別されたユーザの静脈情報とに基づいてユーザを認証し、当該認証に成功した場合に前記受信手段によって受信した印刷ジョブを実行する制御手段と、
を備えることを特徴とする印刷装置。
【手続補正２】
【補正対象書類名】明細書
【補正対象項目名】０００９
【補正方法】変更
【補正の内容】
【０００９】
本発明は、印刷装置が生体情報に基づいてユーザを認証し、当該認証に成功した場合に印刷ジョブを実行する仕組みを、情報処理装置が生体情報を入力する装置を備えていなくとも実現できる印刷システム、印刷装置、情報処理装置、印刷システムの制御方法、印刷装置の制御方法、情報処理装置の制御方法、並びに、プログラムを提供することを目的とする。
【手続補正３】
【補正対象書類名】明細書
【補正対象項目名】００１０
【補正方法】変更
【補正の内容】
【００１０】
上記目的を達成するために本発明の一態様に係る印刷システムは以下のような構成を備える。即ち、ユーザの生体情報を記憶する記憶手段を有する印刷装置と、当該印刷装置と通信可能な情報処理装置とを含む印刷システムであって、前記情報処理装置は、前記印刷装置によって実行される印刷ジョブと、当該印刷ジョブを実行するために前記記憶手段に記憶された生体情報を用いた認証が必要であることを示す情報とを、前記印刷装置に送信する送信手段を備え、前記印刷装置は、前記情報処理装置から前記印刷ジョブと前記情報とを受信する受信手段と、ユーザの生体情報を入力する入力手段と、前記受信手段によって前記印刷ジョブと前記情報とを受信した場合に、前記入力手段によって入力された生体情報と、前記記憶手段に記憶された生体情報とに基づいてユーザを認証し、当該認証に成功した場合に前記受信手段によって受信した印刷ジョブを実行する制御手段とを備えることを特徴とする。
【手続補正４】
【補正対象書類名】明細書
【補正対象項目名】００１１
【補正方法】変更
【補正の内容】
【００１１】
本発明によれば、印刷装置が生体情報に基づいてユーザを認証し、当該認証に成功した場合に印刷ジョブを実行する仕組みを、情報処理装置が生体情報を入力する装置を備えていなくても実現することができる。
【手続補正５】
【補正対象書類名】明細書
【補正対象項目名】発明の名称
【補正方法】変更
【補正の内容】
【発明の名称】印刷システム、印刷装置、情報処理装置、印刷システムの制御方法、印刷装置の制御方法、情報処理装置の制御方法、並びに、プログラム
【手続補正６】
【補正対象書類名】明細書
【補正対象項目名】０００１
【補正方法】変更
【補正の内容】
【０００１】
本発明は、印刷システム、印刷装置、情報処理装置、印刷システムの制御方法、印刷装置の制御方法、情報処理装置の制御方法、並びに、プログラムに関するものである。